(57)【要約】【課題】高い測定精度が維持される血圧計用カフおよび血圧計、を提供する。【解決手段】使い捨て式である血圧計用カフ１５０は、空気が供給され、膨縮可能な空気袋１６１と、空気袋１６１を収容し、空気袋１６１を被験者の被測定部位に装着するための袋状カバー体１６６と、空気袋１６１を膨縮させる膨縮機構部に駆動用の電力を供給する乾電池１７１とを備える。乾電池１７１は、袋状カバー体１６６から取り外し不可能な状態で設けられる。【選択図】図５
2010069196.tif 000002
【特許請求の範囲】
【請求項１】
被験者の被測定部位に巻き付けられ、被測定部位を圧迫する血圧計用カフであって、
流体が供給され、膨縮可能な流体袋と、
前記流体袋を収容し、前記流体袋を被測定部位に装着するための袋状カバー体と、
前記流体袋を膨縮させる膨縮機構部に駆動用の電力を供給し、前記袋状カバー体から取り外し不可能な状態で設けられる１次電池とを備える、血圧計用カフ。
【請求項２】
前記１次電池は、前記袋状カバー体の内部に設けられる、請求項１に記載の血圧計用カフ。
【請求項３】
前記１次電池は、前記袋状カバー体において前記流体袋と重ならない位置に設けられる、請求項１または２に記載の血圧計用カフ。
【請求項４】
血圧計用カフが被測定部位に巻き付けられた状態において、前記流体袋の外側に配置され、被測定部位に沿うように略筒形状に形成された可撓性の湾曲弾性板をさらに備え、
前記１次電池は、前記湾曲弾性板に取り付けられる、請求項１から３のいずれか１項
に記載の血圧計用カフ。
【請求項５】
前記袋状カバー体は、展開された状態で長手方向と短手方向とを有する帯形状を有し、その長手方向に沿って湾曲するように被測定部位に巻き付けられ、
前記１次電池が、前記袋状カバー体の長手方向における両端部にそれぞれ隣接して配置される、請求項１から４のいずれか１項に記載の血圧計用カフ。
【請求項６】
前記袋状カバー体に設けられ、血圧計用カフの使用者に関する情報を記憶するメモリ部をさらに備える、請求項１から５のいずれか１項に記載の血圧計用カフ。
【請求項７】
請求項１から６のいずれか１項に記載の血圧計用カフと、
前記膨縮機構部を含み、前記血圧計用カフが着脱可能な状態で接続される装置本体とを備える、血圧計。
【請求項８】
前記血圧計用カフは、前記袋状カバー体に設けられ、前記血圧計用カフの使用者に関する情報を記憶するメモリ部を含み、
前記装置本体は、前記血圧計用カフの使用者に関する情報を表示する表示部をさらに含み、
前記血圧計用カフと前記装置本体との間で、前記血圧計用カフの使用者に関する情報の無線通信を可能とする通信部をさらに備える、請求項７に記載の血圧計。
【発明の詳細な説明】
【技術分野】
【０００１】
この発明は、一般的には、血圧計用カフおよび血圧計に関し、より特定的には、使い捨て式の血圧計用カフおよびその血圧計用カフが用いられる血圧計に関する。
【背景技術】
【０００２】
従来の血圧計用カフに関して、たとえば、特開２００２−３６９８０３号公報には、装着時における血圧計用カフの回転を防止可能とすることを目的とした血圧計用カフが開示されている（特許文献１）。特許文献１に開示された血圧計用カフにおいては、略扇形の形状を有し、上腕に対する装着手段として設けられた腕帯の一方端の片寄った位置に、圧迫用流体袋が設けられている。圧迫用流体袋が設けられていない腕帯の領域には、腕帯の長手方向に対して交差する方向に延びるように凸状部材が設けられている。
【０００３】
また、特開平７−１６３５３１号公報には、カフを装着する際にカフが回りずれを起こすことを防ぎ、装着し易くすることを目的としたカフ一体型血圧計が開示されている（特許文献２）。特許文献２に開示された血圧計においては、本体下ケースおよび本体上ケースからなるケース体がカフに固定されている。本体上ケースの内部には、バッテリ、加圧ポンプ、電磁バルブ、回路基板、表示器等が配置されている。
【特許文献１】特開２００２−３６９８０３号公報
【特許文献２】特開平７−１６３５３１号公報
【発明の開示】
【発明が解決しようとする課題】
【０００４】
上述の特許文献１および２に開示されるように、血圧測定時において被験者の被測定部位を圧迫するためのカフが利用されている。このカフは、血圧の測定精度に大きく関係する重要部品であり、測定精度を向上させて血圧測定を行なうには、次の内容に注意する必要がある。
（１）毎回、同じカフを用い、同じ巻き方（位置や締め付け力）で測定すること
（２）同じカフであっても、傷や損傷のないカフを用いること
（３）カフは人の肌に触れるものであるため、清潔に扱うこと
一方、カフは、軽く、柔軟性を有するため、一般的に乱雑に扱われやすい。このため、使用回数を重ねるにつれて、カフが劣化し、血圧の測定精度にも悪影響を及ぼすおそれがある。このような問題を解決するため、使い捨て式のカフを用いる方法がある。使い捨て式カフを用いた場合、カフが劣化する前に新しいカフと取り替えられるため、常に高い測定精度を維持することができる。また、感染症を防止するという点においても有利である。
【０００５】
しかしながら、使い捨て式のカフは、交換時期の判断があいまいであり、またカフの交換に費用が発生することもあって、耐用回数を越えても同じカフが使用され続けるという懸念がある。この場合、高い測定精度を維持するという当初の目的が達成されない。
【０００６】
そこでこの発明の目的は、上記の課題を解決することであり、高い測定精度が維持される血圧計用カフおよび血圧計を提供することである。
【課題を解決するための手段】
【０００７】
この発明に従った血圧計用カフは、被験者の被測定部位に巻き付けられ、被測定部位を圧迫する血圧計用カフである。血圧計用カフは、流体袋と、袋状カバー体と、１次電池とを備える。流体袋は、流体が供給され、膨縮可能である。袋状カバー体は、流体袋を収容する。袋状カバー体は、流体袋を被測定部位に装着するためのものである。１次電池は、流体袋を膨縮させる膨縮機構部に駆動用の電力を供給する。１次電池は、袋状カバー体から取り外し不可能な状態で設けられる。
【０００８】
このように構成された血圧計用カフによれば、再充電不能な１次電池が袋状カバー体から取り外し不可能な状態で設けられるため、１次電池を使い切った時点で血圧計用カフの交換の必要性が生じる。これにより、ユーザは、品質に劣化のない血圧計用カフを使用することとなるため、高い測定精度を維持することができる。
【０００９】
また好ましくは、１次電池は、袋状カバー体の内部に設けられる。このように構成された血圧計用カフによれば、１次電池を使い切った後も血圧計用カフが継続して使用されることをより確実に防ぐことができる。
【００１０】
また好ましくは、１次電池は、袋状カバー体において流体袋と重ならない位置に設けられる。このように構成された血圧計用カフによれば、１次電池の存在に起因して、流体袋による被測定部位の圧迫が妨げられることを防止できる。
【００１１】
また好ましくは、血圧計用カフは、血圧計用カフが被測定部位に巻き付けられた状態において、流体袋の外側に配置され、被測定部位に沿うように略筒形状に形成された可撓性の湾曲弾性板をさらに備える。１次電池は、湾曲弾性板に取り付けられる。このように構成された血圧計用カフによれば、袋状カバー体の内部で１次電池をより確実に支持することができる。
【００１２】
また好ましくは、袋状カバー体は、展開された状態で長手方向と短手方向とを有する帯形状を有する。袋状カバー体は、その長手方向に沿って湾曲するように被測定部位に巻き付けられる。１次電池が、袋状カバー体の長手方向における両端部にそれぞれ隣接して配置される。このように構成された血圧計用カフによれば、袋状カバー体の両端部にそれぞれ隣接して配置された１次電池が重りとなって、袋状カバー体を被測定部位に巻き付ける際の作業性を向上させることができる。
【００１３】
また好ましくは、血圧計用カフは、袋状カバー体に設けられ、血圧計用カフの使用者に関する情報を記憶するメモリ部をさらに備える。このように構成された血圧計用カフによれば、ユーザは、メモリ部に記憶された情報に基づいて自らが使用している血圧計用カフを特定することができる。これにより、ユーザは、測定ごとに同じ血圧計用カフを使用することができ、血圧の測定精度を向上させることができる。
【００１４】
この発明に従った血圧計は、上述のいずれかに記載の血圧計用カフと、膨縮機構部を含み、血圧計用カフが着脱可能な状態で接続される装置本体とを備える。
【００１５】
このように構成された血圧計によれば、１次電池を使い切った時点で、血圧計用カフが新しい血圧計用カフと交換されるため、高い測定精度を維持することができる。
【００１６】
また好ましくは、血圧計用カフは、袋状カバー体に設けられ、血圧計用カフの使用者に関する情報を記憶するメモリ部を含む。装置本体は、血圧計用カフの使用者に関する情報を表示する表示部をさらに含む。血圧計は、血圧計用カフと装置本体との間で、血圧計用カフの使用者に関する情報の無線通信を可能とする通信部をさらに備える。このように構成された血圧計によれば、血圧計用カフと装置本体との間で必要となる情報移送用の配線を省略することができる。
【発明の効果】
【００１７】
以上説明したように、この発明に従えば、高い測定精度が維持される血圧計用カフおよび血圧計を提供することができる。
【発明を実施するための最良の形態】
【００１８】
この発明の実施の形態について、図面を参照して説明する。なお、以下で参照する図面では、同一またはそれに相当する部材には、同じ番号が付されている。
【００１９】
（実施の形態１）
図１は、血圧計の外観を示す斜視図である。図１を参照して、血圧計１００は、装置本体１１０と、血圧計用カフ１５０とを有する。血圧計１００は、血圧計用カフ１５０が被験者の上腕に装着される上腕式血圧計である。血圧計用カフ１５０は、一定回数使用された後に廃棄される使い捨て式カフである。
【００２０】
装置本体１１０と血圧計用カフ１５０とは、分離して設けられており、血圧測定時において、装置本体１１０は机などの載置面に載置されて使用される。装置本体１１０と血圧計用カフ１５０との間は、接続管１４０により接続されている。
【００２１】
装置本体１１０には、表示部１２２および操作部１２４が設けられている。表示部１２２は、血圧値の測定結果や脈拍数の測定結果等を、数値やグラフなどを用いて視認可能に表示する。この表示部１２２としては、たとえば液晶パネル等が利用される。操作部１２４には、たとえば、電源ボタンや測定開始ボタン、血圧計用カフ１５０の使用者に関する情報を入力するための入力ボタンなどの各種ボタンが設けられている。
【００２２】
血圧計用カフ１５０は、帯形状の外観を有し、被験者の上腕の周囲に巻き付けられる。血圧計用カフ１５０は、上腕を圧迫するための空気袋１６１と、空気袋１６１を上腕に巻き付けて装着するための袋状カバー体１６６とを有する。空気袋１６１は、袋状カバー体１６６の内部に設けられた空間に収容されている。
【００２３】
図２は、図１中の血圧計の構成を示す機能ブロック図である。図１および図２を参照して、装置本体１１０の内部には、血圧計用カフ１５０に内包された空気袋１６１に空気を供給または排出するための血圧測定用エア系コンポーネント１３１が設けられている。血圧測定用エア系コンポーネント１３１は、空気袋１６１内の圧力を検出する圧力検出手段である圧力センサ１３２と、空気袋１６１を膨縮させるための膨縮機構部１３３であるポンプ１３４および弁１３５とを有する。装置本体１１０の内部には、血圧測定用エア系コンポーネント１３１に関連して発振回路１３６、ポンプ駆動回路１３７および弁駆動回路１３８が設けられている。
【００２４】
装置本体１１０には、各部を集中的に制御および監視するためのＣＰＵ（Central Processing Unit）１２１と、ＣＰＵ１２１に所定の動作をさせるプログラムや測定された血圧値などの各種情報を記憶するためのメモリ部１２３と、血圧測定結果を含む各種情報を表示するための表示部１２２と、測定のための各種指示を入力するために操作される操作部１２４とが設けられている。ＣＰＵ１２１は、血圧値を算出するための血圧値算出手段としても機能する。
【００２５】
圧力センサ１３２は、空気袋１６１内の圧力（以下、「カフ圧」という）を検出し、検出した圧力に応じた信号を発振回路１３６に出力する。ポンプ１３４は、空気袋１６１に空気を供給する。弁１３５は、空気袋１６１内の圧力を維持したり、空気袋１６１内の空気を排出したりする際に開閉する。発振回路１３６は、圧力センサ１３２の出力値に応じた発振周波数の信号をＣＰＵ１２１に出力する。ポンプ駆動回路１３７は、ポンプ１３４の駆動をＣＰＵ１２１から与えられる制御信号に基づいて制御する。弁駆動回路１３８は、弁１３５の開閉制御をＣＰＵ１２１から与えられる制御信号に基づいて行なう。
【００２６】
血圧計用カフ１５０は、膨縮機構部１３３およびＣＰＵ１２１などの各機能ブロックに電力を供給するための乾電池１７１を有する。乾電池１７１は、袋状カバー体１６６の内部に設けられている。一方、装置本体１１０には、各機能ブロックに電力を供給するための電源部が設けられておらず、装置本体１１０の小型化が図られている。
【００２７】
乾電池１７１と装置本体１１０とは、電力線１４２によって接続されている。空気袋１６１と装置本体１１０とは、流体管としてのエア管１４１によって接続されている。本実施の形態では、電力線１４２とエア管１４１とを一括に束ねた接続管１４０が、血圧計用カフ１５０と装置本体１１０との間で延びている。なお、このような形態に限られず、電力線１４２およびエア管１４１を、血圧計用カフ１５０と装置本体１１０との間で別々に配索してもよい。
【００２８】
血圧計用カフ１５０は、装置本体１１０に対して着脱可能に設けられている。本実施の形態では、血圧計用カフ１５０にコネクタ１４６が設けられている。コネクタ１４６は、袋状カバー体１６６の内部で空気袋１６１に連通するエア接続口と、乾電池１７１に電気的に接続された端子とを有して構成されている。接続管１４０がコネクタ１４６に差し込まれることにより、血圧計用カフ１５０が装置本体１１０に接続され、接続管１４０がコネクタ１４６から引き抜かれることにより、血圧計用カフ１５０と装置本体１１０との接続が解除される。
【００２９】
次に、血圧計１００における血圧測定処理の流れについて説明する。図３は、図１中の血圧計の血圧測定処理の流れを示すフローチャートである。このフローチャートに従うプログラムは、図２において示したメモリ部１２３に予め記憶されており、ＣＰＵ１２１がメモリ部１２３からこのプログラムを読出して実行することにより、血圧測定処理が実施される。
【００３０】
図２および図３を参照して、被験者が血圧計１００の操作部１２４の操作ボタンを操作して電源をオンにすると血圧計１００の初期化がなされる（ステップＳ１）。次に、測定可能状態になると、ＣＰＵ１２１はポンプ１３４の駆動を開始し、空気袋１６１のカフ圧を徐々に上昇させる（ステップＳ２）。カフ圧を徐々に加圧する過程において、カフ圧が血圧測定のために必要な所定のレベルにまで達すると、ＣＰＵ１２１はポンプ１３４を停止し、次いで閉じていた弁１３５を徐々に開いて空気袋１６１の空気を徐々に排気し、カフ圧を徐々に減圧させ（ステップＳ３）、このカフ圧の微速減圧過程においてカフ圧の検出が行なわれる。
【００３１】
次に、ＣＰＵ１２１は公知の手順で収縮期血圧値（最高血圧値）および拡張期血圧値（最低血圧値）を算出する（ステップＳ４）。具体的には、カフ圧が徐々に減圧する過程において、ＣＰＵ１２１は発振回路１３６から得られる発振周波数に基づき脈波情報を抽出する。そして、抽出された脈波情報により血圧値を算出する。ステップＳ４において血圧値が算出されると、算出された血圧値を表示部１２２に表示する（ステップＳ５）。
【００３２】
なお、以上において説明した測定方式は、空気袋の減圧時に脈波を検出して血圧値を算出するいわゆる減圧測定方式に基づいたものであるが、空気袋の加圧時に脈波を検出して血圧値を算出するいわゆる加圧測定方式を採用することも当然に可能である。
【００３３】
続いて、血圧計用カフ１５０のより具体的な構造について説明する。図４は、図１中の血圧計用カフを展開した状態を示す平面図である。図５は、図１中の血圧計用カフを示す断面図である。
【００３４】
図４および図５を参照して、袋状カバー体１６６は、展開された状態において長手方向（図４中の矢印２０１に示す方向）と短手方向（図４中の矢印２０２に示す方向）とを有する帯形状に形成されている。袋状カバー体１６６は、長手方向における両端にそれぞれ一方端１６６ｐおよび他方端１６６ｑを有する。袋状カバー体１６６は、上腕への装着時、その長手方向に沿って湾曲するように上腕に巻き付けられる。袋状カバー体１６６は、一方端１６６ｐが上腕に宛がわれ、他方端１６６ｑがその一方端１６６ｐ上に重ね合わせられる形態で、上腕に巻き付けられる。
【００３５】
袋状カバー体１６６は、装着状態において上腕側に位置する内側外装部を構成する内側カバー部材１６７と、空気袋１６１を挟んで上腕とは反対側に配置される外側外装部を構成する外側カバー部材１６８とを有する。内側カバー部材１６７と外側カバー部材１６８とが重ね合わされており、その周縁が図示しないバイアステープを用いて接合されている。
【００３６】
袋状カバー体１６６は、好適にはポリアミド（ＰＡ）、ポリエステル等の合成繊維からなる布地によって形成されている。なお、内側カバー部材１６７は、好適には伸縮性に優れた部材にて構成され、外側カバー部材１６８は、好適には内側カバー部材１６７よりも伸縮性に乏しい部材にて構成される。
【００３７】
袋状カバー体１６６の外周面には、面ファスナ１９２が設けられている。面ファスナ１９２は、袋状カバー体１６６の長手方向において一方端１６６ｐ側に設けられている。面ファスナ１９２は、他方端１６６ｑ側の袋状カバー体１６６の内周面と係合する。面ファスナ１９２は、血圧計用カフ１５０を上腕に装着した状態において、血圧計用カフ１５０を上腕に巻き付け、固定するための係止手段である。
【００３８】
空気袋１６１は、展開した状態において帯形状を有する。空気袋１６１は、好適には樹脂シートを用いて形成された袋状の部材からなる。空気袋１６１の内部には、膨縮空間１６２が形成されている。膨縮空間１６２に対して空気が供給、排出されるのに伴って、空気袋１６１は膨縮する。空気袋１６１は、袋状カバー体１６６の内部に収容されている。空気袋１６１は、袋状カバー体１６６の内部の他方端１６６ｑよりも一方端１６６ｐ側に片寄った位置に配置されている。
【００３９】
空気袋１６１を形成する樹脂シートの材質としては、伸縮性に富んでおり膨縮空間１６２からの漏気がないものであればどのようなものでも利用可能である。このような観点から、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【００４０】
血圧計用カフ１５０は、空気袋１６１を上腕に向けて付勢するための湾曲弾性板としてのカーラ１９１を含む。カーラ１９１は、展開した状態において帯形状を有する。カーラ１９１は、上腕にフィットするように、上腕の軸方向に延びる円筒形状に形成されており、環状に巻き回されることによって径方向に弾性変形可能に構成された可撓性の部材からなる。カーラ１９１は、袋状カバー体１６６の内部で、かつ空気袋１６１の外側に重なって配置されている。本実施の形態では、カーラ１９１が、空気袋１６１よりも袋状カバー体１６６の一方端１６６ｐ側に延伸するように設けられている。カーラ１９１は、十分な弾性力を発現するように、たとえばポリプロピレン（ＰＰ）等の樹脂部材にて形成されている。
【００４１】
乾電池１７１は、再充電することができない１次電池である。乾電池１７１の種類は、特に限定されず、たとえばアルカリ乾電池、マンガン乾電池、リチウム１次電池のいずれであってもよい。乾電池１７１の形状は、図４および図５中に示すように平板形であってもよいし、円柱やボタン形であってもよい。血圧計用カフ１５０は、複数の乾電池１７１を有してもよい。
【００４２】
乾電池１７１は、袋状カバー体１６６の内部に収容されている。乾電池１７１は、袋状カバー体１６６の内部で空気袋１６１と重ならない位置に配置されている。より具体的には、乾電池１７１は、袋状カバー体１６６の長手方向において一方端１６６ｐと空気袋１６１との間の位置に配置されている。乾電池１７１は、袋状カバー体１６６の一方端１６６ｐに隣接して配置されている。乾電池１７１は、面ファスナ１９２の裏側に配置されている。
【００４３】
乾電池１７１は、カバー内ケース１７３に収められている。乾電池１７１は、カバー内ケース１７３を介してカーラ１９１に取り付けられている。乾電池１７１は、空気袋１６１が配置された側とは反対側のカーラ１９１の表面に取り付けられている。袋状カバー体１６６は、内側カバー部材１６７と外側カバー部材１６８とがその周縁で互いに接合された構造を有するため、乾電池１７１は袋状カバー体１６６から取り出せないように設けられている。
【００４４】
本実施の形態では、乾電池１７１が袋状カバー体１６６の内部で空気袋１６１と重ならない位置に配置されている。このような構成により、乾電池１７１の存在が空気袋１６１の膨縮過程に与える影響を小さく抑え、血圧値の測定精度を高く維持することができる。また、乾電池１７１はカーラ１９１に対して取り付けられている。カーラ１９１は、空気袋１６１を上腕に向けて付勢するために一定の剛性を備えるため、袋状カバー体１６６内部で乾電池１７１をより確実に支持することができる。
【００４５】
図６は、図１中の血圧計の使用の形態を示す斜視図である。図６を参照して、本実施の形態では、膨縮機構部１３３やＣＰＵ１２１などに電力を供給する乾電池１７１が、袋状カバー体１６６に収容されており、その外部に取り出せない構造となっている。このため、ユーザは、乾電池１７１を使い切った後は、血圧計１００を起動させることができず、使用後の血圧計用カフ１５０Ａを新しい血圧計用カフ１５０Ｂに交換せざるを得ない。この場合、血圧計用カフ１５０の耐用回数と、乾電池１７１の容量が尽きるまでの測定回数とを一致させることにより、使い捨て式の血圧計用カフ１５０の交換時期が明確となる。
【００４６】
また、乾電池１７１を使い切った後は、必ず血圧計用カフ１５０を交換することとなるため、カフに必要以上の品質を持たせる必要がなくなる。これにより、血圧計用カフ１５０の製造コストを低く抑えることができる。また、廃棄後の血圧計用カフ１５０の処理をメーカが受け持つことにより、空気袋１６１や乾電池１７１のリサイクル化を促進させることができる。
【００４７】
図２および図５を参照して、本実施の形態における血圧計用カフ１５０においては、さらに、袋状カバー体１６６の内部にメモリ部１７６および通信部１８１が設けられ、装置本体１１０の内部に通信部１２５が設けられている。本実施の形態では、メモリ部１７６および通信部１８１が、乾電池１７１とともにカバー内ケース１７３に収容されている。これに限られず、メモリ部１７６および通信部１８１と乾電池１７１とは、袋状カバー体１６６内の別々の位置に設けられてもよい。
【００４８】
メモリ部１７６は、血圧計用カフ１５０の使用者に関する情報を記憶する。通信部１８１および通信部１２５は、対になって設けられており、血圧計用カフ１５０と装置本体１１０との間で血圧計用カフ１５０の使用者に関する情報を無線通信により受け渡しする。
【００４９】
血圧計１００が複数のユーザによって使用される場合、ユーザごとの血圧計用カフ１５０が準備されることがある。この場合、血圧計用カフ１５０の初回使用時に、ユーザは、たとえば操作部１２４を操作することによって自分の氏名を入力する。入力された情報は、通信部１２５および通信部１８１間の無線通信を通じて血圧計用カフ１５０に送信され、その情報がメモリ部１７６に記憶される。血圧計用カフ１５０の次回使用時には電源をオンにすると、メモリ部１７６に記憶された情報が、通信部１２５および通信部１８１間の無線通信を通じて装置本体１１０に送信される。ＣＰＵ１２１は、受け取った情報を元に血圧計用カフ１５０の使用者の氏名を表示部１２２に表示する。
【００５０】
このような構成により、ユーザは、複数準備された血圧計用カフ１５０のうちいずれが自分のカフであるかを確認することができる。結果、ユーザは、測定ごとに同じ血圧計用カフ１５０を使用することが可能となるため、血圧値の測定精度を向上させることができる。
【００５１】
なお、複数の血圧計用カフ１５０に対して複数の装置本体１１０が準備される場合、血圧計用カフ１５０が過去にどの装置本体１１０に接続されたかの情報を、各血圧計用カフ１５０のメモリ部１７６に記憶させてもよい。この場合、ユーザは、測定ごとに同じ血圧計用カフ１５０および装置本体１１０を使用することが可能となるため、血圧値の測定精度を向上させることができる。
【００５２】
この発明の実施の形態１における血圧計用カフ１５０は、流体袋としての空気袋１６１と、袋状カバー体１６６と、１次電池としての乾電池１７１とを備える。空気袋１６１は、流体としての空気が供給され、膨縮可能である。袋状カバー体１６６は、空気袋１６１を収容する。袋状カバー体１６６は、空気袋１６１を被測定部位としての上腕に装着するためのものである。乾電池１７１は、空気袋１６１を膨縮させる膨縮機構部１３３に駆動用の電力を供給する。乾電池１７１は、袋状カバー体１６６から取り外し不可能な状態で設けられる。
【００５３】
この発明の実施の形態１における血圧計１００は、血圧計用カフ１５０と、膨縮機構部１３３を含み、血圧計用カフ１５０が着脱可能な状態で接続される装置本体１１０とを備える。
【００５４】
このように構成された、この発明の実施の形態１における血圧計用カフ１５０および血圧計１００によれば、ユーザは、乾電池１７１の消耗によって血圧計用カフ１５０の交換を強制される。このため、常に品質のよい血圧計用カフ１５０を用いて血圧測定が行なわれることとなり、血圧値の測定精度を高く維持することができる。また、血圧計用カフ１５０に乾電池１７１やメモリ部１７６、通信部１８１などの部品を設けることにより、ユーザの意識がカフに向けられ、血圧計用カフ１５０が乱雑に扱われ難くなる。結果、血圧計用カフ１５０の品質を高く保ち、血圧値の測定精度を向上させることができる。
【００５５】
なお、本実施の形態では、乾電池１７１が袋状カバー体１６６の内部に設けられる場合を説明したが、本発明はこれに限られず、乾電池１７１が袋状カバー体１６６の外部に設けられてもよい。この場合であっても、乾電池１７１は、たとえば袋状カバー体１６６の外表面に備え付けられた密閉の箱体に収容されるなどして、袋状カバー体１６６から取り外し不可能な状態で設けられる。
【００５６】
また、本実施の形態では、血圧計用カフ１５０が被験者の上腕に装着される上腕式の血圧計１００である場合を説明したが、本発明はこれに限られず、たとえば手首式の血圧計や、カフと装置本体とが一体となった血圧計にも適用される。
【００５７】
（実施の形態２）
本実施の形態では、実施の形態１における血圧計用カフ１５０の各種変形例について説明する。実施の形態１における血圧計用カフ１５０と比較して重複する構造については、説明を繰り返さない。
【００５８】
図７は、図４中の血圧計用カフの変形例を示す平面図である。図７を参照して、本変形例における血圧計用カフにおいては、袋状カバー体１６６の内部に、乾電池１７１に加えて乾電池１７５が設けられている。乾電池１７５は、乾電池１７１と同様に再充電することができない１次電池である。乾電池１７５は、カバー内ケース１７４に収められている。乾電池１７５は、袋状カバー体１６６の他方端１６６ｑに隣接して配置されている。
【００５９】
このような構成により、本変形例では、袋状カバー体１６６の長手方向の両端に配置された乾電池１７１，１７５が重りとなって、袋状カバー体１６６を上腕に巻き付ける際の作業性を向上させることができる。
【００６０】
図８は、図５中の血圧計用カフの変形例を示す断面図である。図８を参照して、本変形例における血圧計用カフにおいては、袋状カバー体１６６の内部に図５中のカーラ１９１が設けられていない。乾電池１７１、メモリ部１７６および通信部１８１を収めたカバー内ケース１７３は、袋状カバー体１６６の内側の表面に貼り合わされたプレート１９６に取り付けられている。このように、カーラ１９１が設けられない血圧計用カフにおいても、１次電池を袋状カバー体の内部に設ける本発明を適用することができる。
【００６１】
このように構成された、この発明の実施の形態２における血圧計用カフによれば、実施の形態１に記載の効果を同様に得ることができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】血圧計の外観を示す斜視図である。
【図２】図１中の血圧計の構成を示す機能ブロック図である。
【図３】図１中の血圧計の血圧測定処理の流れを示すフローチャートである。
【図４】図１中の血圧計用カフを展開した状態を示す平面図である。
【図５】図１中の血圧計用カフを示す断面図である。
【図６】図１中の血圧計の使用の形態を示す斜視図である。
【図７】図４中の血圧計用カフの変形例を示す平面図である。
【図８】図５中の血圧計用カフの変形例を示す断面図である。
【符号の説明】
【００６４】
１００  血圧計、１１０  装置本体、１２２  表示部、１２５，１８１  通信部、１３３  膨縮機構部、１５０，１５０Ａ，１５０Ｂ  血圧計用カフ、１６１  空気袋、１６６  袋状カバー体、１６６ｐ  一方端、１６６ｑ  他方端、１７１，１７５  乾電池、１７６  メモリ部、１９１  カーラ。
【図１】
2010069196.tif 000003
【図２】
2010069196.tif 000004
【図３】
2010069196.tif 000005
【図４】
2010069196.tif 000006
【図５】
2010069196.tif 000007
【図６】
2010069196.tif 000008
【図７】
2010069196.tif 000009
【図８】
2010069196.tif 000010